【手続補正書】
【提出日】平成27年8月7日(2015.8.7)
【手続補正１】
【補正対象書類名】明細書
【補正対象項目名】発明の名称
【補正方法】変更
【補正の内容】
【発明の名称】シート処理装置及びその制御方法
【手続補正２】
【補正対象書類名】明細書
【補正対象項目名】００１２
【補正方法】変更
【補正の内容】
【００１２】
上記目的を達成するために、請求項１記載のシート処理装置は、シートを搬送する搬送手段と、シート搬送方向に交差するシート幅方向に沿って配列され、搬送されるシートの前記シート幅方向における端部をそれぞれ検知する第１の検知手段及び第２の検知手段と、前記第１の検知手段及び前記第２の検知手段を前記シート幅方向に移動させる第１の移動手段と、前記シート幅方向にシートを移動させる第２の移動手段と、前記搬送手段によるシートの搬送中に、前記第１の移動手段により前記第１の検知手段及び前記第２の検知手段を移動させ、前記第１の検知手段により検知される第１の端部の位置と、その後、前記第２の検知手段により検知される第２の端部の位置とを決定する第１の決定手段と、前記第１の決定手段により決定された前記第１の端部の位置と前記第２の端部の位置及び前記第１の端部の位置が検知されてから前記第２の端部の位置が検知されるまでのシートの搬送量とに基づいて、前記第２の端部の位置よりもシートの後端側に近い位置での前記シート幅方向における第３の端部の位置を決定する第２の決定手段と、前記第２の決定手段により決定された前記第３の端部の位置に従って、前記第２の移動手段によりシートを前記シート幅方向に移動することで前記シート幅方向におけるシートのずれを補正する補正手段と、を有することを特徴とする。
【手続補正３】
【補正対象書類名】明細書
【補正対象項目名】００１３
【補正方法】変更
【補正の内容】
【００１３】
また、上記目的を達成するために、請求項８記載のシート処理装置の制御方法は、シートを搬送する搬送手段と、シート搬送方向に交差するシート幅方向に沿って配列され、搬送されるシートの前記シート幅方向におけるシートの端部をそれぞれ検知する第１の検知手段及び第２の検知手段と、前記第１の検知手段及び前記第２の検知手段を前記シート幅方向に沿って移動させる第１の移動手段と、前記シート幅方向にシートを移動させる第２の移動手段とを備えるシート処理装置の制御方法であって、前記搬送手段によるシートの搬送中に、前記第１の移動手段により前記第１の検知手段及び前記第２の検知手段を同一方向へ移動させ、前記第１の検知手段により検知される第１の端部の位置と、その後、前記第２の検知手段により検知される第２の端部の位置とを決定し、前記決定された前記第１の端部の位置と前記第２の端部の位置及び前記第１の端部の位置が検知されてから前記第２の端部の位置が検知されるまでのシートの搬送量とに基づいて、前記第２の端部の位置よりもシートの後端側に近い位置での前記シート幅方向における第３の端部の位置を決定し、決定された前記第３の端部の位置に従って、前記第２の移動手段によりシートを幅方向に移動することでシートの幅方向のずれを補正することを特徴とする。
【手続補正４】
【補正対象書類名】特許請求の範囲
【補正対象項目名】全文
【補正方法】変更
【補正の内容】
【特許請求の範囲】
【請求項１】
シートを搬送する搬送手段と、
シート搬送方向に交差するシート幅方向に沿って配列され、搬送されるシートの前記シート幅方向における端部をそれぞれ検知する第１の検知手段及び第２の検知手段と、
前記第１の検知手段及び前記第２の検知手段を前記シート幅方向に移動させる第１の移動手段と、
前記シート幅方向にシートを移動させる第２の移動手段と、
前記搬送手段によるシートの搬送中に、前記第１の移動手段により前記第１の検知手段及び前記第２の検知手段を移動させ、前記第１の検知手段により検知される第１の端部の位置と、その後、前記第２の検知手段により検知される第２の端部の位置とを決定する第１の決定手段と、
前記第１の決定手段により決定された前記第１の端部の位置と前記第２の端部の位置及び前記第１の端部の位置が検知されてから前記第２の端部の位置が検知されるまでのシートの搬送量とに基づいて、前記第２の端部の位置よりもシートの後端側に近い位置での前記シート幅方向における第３の端部の位置を決定する第２の決定手段と、
前記第２の決定手段により決定された前記第３の端部の位置に従って、前記第２の移動手段によりシートを前記シート幅方向に移動することで前記シート幅方向におけるシートのずれを補正する補正手段と、
を有することを特徴とするシート処理装置。
【請求項２】
前記シート幅方向に少なくとも３つ以上配列されたシートを検知する複数のセンサと、
前記複数のセンサの中から、前記搬送手段によりシートが所定位置まで搬送された時点の前記複数のセンサの検知状態によって前記シート幅方向におけるシートの端部の検知に用いる前記第１の検知手段及び前記第２の検知手段を選択する選択手段と、を備えることを特徴とする請求項１記載のシート処理装置。
【請求項３】
前記所定位置にシートが搬送された時点で前記シート幅方向のシート中心位置に最も近いセンサがシートを検知していない場合、前記選択手段は、前記複数のセンサの中から前記シート中心位置に最も近い側の２つのセンサを前記第１の検知手段及び前記第２の検知手段として選択することを特徴とする請求項２記載のシート処理装置。
【請求項４】
前記所定位置にシートが搬送された時点で前記シート幅方向のシート中心位置に最も近いセンサがシートを検知し、且つ前記シート中心位置に２番目に近いセンサがシートを検知していない場合、前記選択手段は、前記複数のセンサの中から前記シート中心位置に２番目及び３番目に近いセンサを前記第１の検知手段、前記第２の検知手段として選択することを特徴とする請求項２記載のシート処理装置。
【請求項５】
前記第１の移動手段による移動前の前記シート幅方向における前記シート中心位置に２番目に近いセンサの位置は、前記中心位置に対して、前記補正手段が補正できる最大のずれ量だけずれているときのシートの端部の位置よりも遠い位置であることを特徴とする請求項４記載のシート処理装置。
【請求項６】
前記シートにパンチ穴をあける穿孔手段と、
前記第２の決定手段により決定された前記第３の端部の位置に従って前記穿孔手段によりシートにあけるパンチ穴の位置を制御する穿孔制御手段と、
をさらに備えることを特徴とする請求項１乃至５の何れか１項に記載のシート処理装置。
【請求項７】
前記第１の移動手段は、前記第１の検知手段と前記第２の検知手段を一体で移動させることを特徴とする請求項１乃至６の何れか１項に記載のシート処理装置。
【請求項８】
シートを搬送する搬送手段と、シート搬送方向に交差するシート幅方向に沿って配列され、搬送されるシートの前記シート幅方向におけるシートの端部をそれぞれ検知する第１の検知手段及び第２の検知手段と、前記第１の検知手段及び前記第２の検知手段を前記シート幅方向に沿って移動させる第１の移動手段と、前記シート幅方向にシートを移動させる第２の移動手段とを備えるシート処理装置の制御方法であって、
前記搬送手段によるシートの搬送中に、前記第１の移動手段により前記第１の検知手段及び前記第２の検知手段を同一方向へ移動させ、前記第１の検知手段により検知される第１の端部の位置と、その後、前記第２の検知手段により検知される第２の端部の位置とを決定し、
前記決定された前記第１の端部の位置と前記第２の端部の位置及び前記第１の端部の位置が検知されてから前記第２の端部の位置が検知されるまでのシートの搬送量とに基づいて、前記第２の端部の位置よりもシートの後端側に近い位置での前記シート幅方向における第３の端部の位置を決定し、
決定された前記第３の端部の位置に従って、前記第２の移動手段によりシートを幅方向に移動することでシートの幅方向のずれを補正することを特徴とするシート処理装置の制御方法。